(57)【特許請求の範囲】
【請求項１】
理美容院の床面に設置される基台と、該基台に対して着脱自在に取付けられる台座と、座部および該座部に対して起伏可能な背凭れと前垂れとからなる椅子と、一端が前記台座に軸支され、他端が前記座部の下面から延長された延長片に軸支され、かつ、前記座部の裏面において回動自在に軸支されたアクチュエータの突出杆が軸支された第１の平行アームと、一端が前記台座に軸支され、他端が前記延長片に軸支されて前記第１の平行アームと平行移動する第２の平行アームと、一端が前記アクチュエータの軸支点に軸支された第１の背凭れ補助アームと、一端が前記第２の平行アームに軸支され、他端が前記第１の背凭れ補助アームの他端に軸支された第２の背凭れ補助アームと、一端が前記第１、第２の背凭れ補助アームの軸支点に軸支された背凭れアームと、一端が背凭れの側面に固定され、他端が前記座部に軸支されると共に中間部が前記背凭れアームの他端に軸支された背凭れブラケットと、前記第１の背凭れ補助アームの前記一端に一体的に取付けられた前垂れ補助アームと、一端が前垂れの裏面に軸支され、他端が前記前垂れ補助アームの他端に軸支された前垂れアームとからなるリンク機構とから構成したことを特徴とする理美容用椅子。
【請求項２】
前記台座の裏面には雄ねじ杆が取付けられ、一方、前記基台の上面には雌ねじ管が取付けられ、前記雄ねじ杆を前記雌ねじ管に螺合することにより、座部と基台とは一体化され、かつ、螺合度合いを調整することにより座部の高さを調整することが可能なようにし、また、前記雄ねじ杆に軸方向の溝を少なくとも２つ形成すると共に前記溝の１つに連通する雌ネジ管に対して雄ねじ杆が抜け出るのを防止するための切り欠きを形成し、さらに、前記雌ねじ管に前記溝および切り欠きと係合・離脱可能な弾性力が付与されたボールを取付け、座部を少なくとも２つの位置でロックが可能なようにしたことを特徴とする請求項１記載の理美容用椅子。
【請求項３】
前記アクチュエータは、座部側の所望位置に取付けられたスイッチを所定時間以上操作すると予め設定した駆動量まで連続し、あるいは、再度前記スイッチが操作されるまで駆動し続け、また、前記スイッチは前記所定時間以内の操作であると、該操作されている間だけ駆動されることを特徴とする請求項１記載の理美容用椅子。
【請求項４】
前記スイッチは背凭れの背面側上方に取付けられ、かつ、該スイッチを操作するための操作杆が突出していることを特徴とする請求項３記載の理美容用椅子。
【発明の詳細な説明】
【０００１】
【発明の属する技術分野】
本発明は理美容院における理美容用椅子、特に、洗髪用に適する椅子であって、座部の昇降や背凭れの起伏を行うためのアクチュエータを座部側に設け、これにより、理美容院での設置が容易に行えるようにした理美容用椅子に関する。
【０００２】
【従来の技術】
従来、理美容院に設置されている理美容用椅子にあっては、座部の昇降や背凭れの起伏を行わせるためのアクチュエータは、理美容院の床面に設置される基台側に取付けられており、該アクチュエータに対してリンク機構を介して座部および背凭れが接続されたものであり、前記アクチュエータを駆動することによりリンク機構を介して座部の昇降および背凭れの寝起きを行うようになっていた。
【０００３】
また、洗髪用椅子の場合にあっては、被洗髪者を椅子に対して仰臥状態で座らせて首の部分をシャンプーボールの首受け部に載せて洗髪を行うが、この状態において、各理美容院においてシャンプーボールの床面からの高さが異なるので、椅子の高さ調整を基台に設けられたアジャスターと呼ばれる数本のネジを回転して行うようになっていた。
【０００４】
【発明が解決しようとする課題】
ところで、前記した従来のアクチュエータが基台側に設置されたものにあっては、製造工場からの出荷時には座部側にリンク機構が取付けられているので、理美容院に運搬して設置する場合には、該理美容院内において座部側のリンク機構をアクチュエータと接続しなければならないため、面倒な作業を理美容院内で行わなければならず設置に時間がかかり、また、設置現場での作業となることから品質確保という点でも問題があり、また、アクチュエータが人の目につきやすい基台側に取付けられているため、椅子全体としての美観を損ねると共にデザイン上の制約を受けるといった問題もあった。
【０００５】
さらに、シャンプーボールの高さに椅子の合わせるのに、基台に取付けられたネジを回転して行うが、このネジを回転するのに重量の重い椅子を持ち上げながら行うため、作業が面倒であると共に複数本のネジ調整で椅子を水平状態に、かつ、高さを調整するという作業は非常に面倒であり、また、ネジを伸ばし椅子を高くすると椅子がぐらつき易くなって着座者に不快感をもたらすといった問題もあった。
【０００６】
本発明は前記した問題点を解決せんとするもので、その目的とするところは、リンク機構とアクチュエータとの取付けが工場内において行われているので、理美容院での設置作業が簡単に行え、かつ、品質確保が図れると共に、美観的にも優れて、また、椅子全体の高さ調整も座部側を基台に対して回転することで行えるので、高さ調整作業が容易で、かつ、椅子を回転することによってロッドアウト、ケミカル処理等の椅子後方の作業空間を確保できる理美容用椅子を提供せんとするにある。
【０００７】
【課題を解決するための手段】
本発明の理美容用椅子は前記した目的を達成せんとするもので、その請求項１の手段は、理美容院の床面に設置される基台と、該基台に対して着脱自在に取付けられる台座と、座部および該座部に対して起伏可能な背凭れと前垂れとからなる椅子と、一端が前記台座に軸支され、他端が前記座部の下面から延長された延長片に軸支され、かつ、前記座部の裏面において回動自在に軸支されたアクチュエータの突出杆が軸支された第１の平行アームと、一端が前記台座に軸支され、他端が前記延長片に軸支されて前記第１の平行アームと平行移動する第２の平行アームと、一端が前記アクチュエータの軸支点に軸支された第１の背凭れ補助アームと、一端が前記第２の平行アームに軸支され、他端が前記第１の背凭れ補助アームの他端に軸支された第２の背凭れ補助アームと、一端が前記第１、第２の背凭れ補助アームの軸支点に軸支された背凭れアームと、一端が背凭れの側面に固定され、他端が前記座部に軸支されると共に中間部が前記背凭れアームの他端に軸支された背凭れブラケットと、前記第１の背凭れ補助アームの前記一端に一体的に取付けられた前垂れ補助アームと、一端が前垂れの裏面に軸支され、他端が前記前垂れ補助アームの他端に軸支された前垂れアームとからなるリンク機構とから構成したものである。
【０００９】
請求項２の手段は、前記した請求項１において、前記台座の裏面には雄ねじ杆が取付けられ、一方、前記基台の上面には雌ねじ管が取付けられ、前記雄ねじ杆を前記雌ねじ管に螺合することにより、座部と基台とは一体化され、かつ、螺合度合いを調整することにより座部の高さを調整することが可能なようにし、また、前記雄ねじ杆に軸方向の溝を少なくとも２つ形成すると共に前記溝の１つに連通する雌ネジ管に対して雄ネジ杆が抜け出るのを防止するための切り欠きを形成し、さらに、前記雌ねじ管に前記溝および切り欠きと係合・離脱可能な弾性力が付与されたボールを取付け、座部を少なくとも２つの位置でロックが可能なようにしたことを特徴とする。
【００１１】
請求項３の手段は、前記した請求項１において、前記アクチュエータは、座部側の所望位置に取付けられたスイッチを所定時間以上操作すると予め設定した駆動量まで連続し、あるいは、再度前記スイッチが操作されるまで駆動し続け、また、前記スイッチは前記所定時間以内の操作であると、該操作されている間だけ駆動されるようにかたものであり、請求項４の手段は、前記した請求項３において、前記スイッチは背凭れの背面側上方に取付けられ、かつ、該スイッチを操作するための操作杆が突出している。
【００１２】
【発明の実施の形態】
以下、本発明に係る理美容用椅子の実施の形態を図面と共に説明する。
Ａは壁面等に取付けられた首受け部Ａ１を有するシャンプーボール、Ｂは理美容用椅子にして、特に、洗髪時において使用するのに適した椅子である。前記理美容用椅子Ｂは、床面に載置される基台１と、椅子２およびモータであるアクチュエータ３１を有するリンク機構３とから構成されている。
【００１３】
前記基台１は床面に設置される台部１１と、該台部１１に立設された雌ねじ管１２、該雌ねじ管１２に螺合される雄ねじ杆１３とから構成されている。そして、雄ねじ杆１３には軸方向に２本の溝１３ａ，１３ｂが形成され、かつ、溝１３ａと連通する切り欠き１３ｃが形成されている。また、雌ねじ管１２の下部には雌ねじが形成された突出管１２ａが一体的に形成されていおり、この突出管１２ａにはボール１２ｂ、スプリング１２ｃが挿入され、ネジ１２ｄを螺合することにより、ボール１２ｂは前記雄ねじ１３の溝１３ａ，１３ｂに選択的に係合されるようになっている。
【００１４】
なお、１３ｃの切り欠きは雄ねじ杆１３が雌ねじ管１２から抜け出るのを防止するためのものである。すなわち、雄ねじ杆１３を雌ねじ管１２に対して抜け出る方向に回転した時に、最終的にボール１２ｂは雄ねじ杆１３の最下部にある切り欠き１３ｃに嵌まり込み、雄ねじ杆１３のそれ以上の回転を防止することとなり、従って、雄ねじ杆１３は抜け出ることはない。
【００１５】
椅子２は座部２１と、該座部２１の裏面に固定された座部基板２１ａの後方に取付金具２１ｂに対して回動自在に取付けられた背凭れブラケット２２ａに固定された背凭れ２２および前記座部基板２１ａの前方に回動自在に軸支された前垂れ基板２３ａに固定された前垂れ２３とから構成されている。なお、２１ｃは前記座部基板２１ａの裏面に固定された後述するリンク機構３を取付けるための取付基板である。
【００１６】
次に、リンク機構３の詳細について説明する。
３１はモータ３１ａと、該モータ３１ａの回転に応じてギア等を介して突出杆３１ｂが進退するように構成されたアクチュエータにして、前記取付基板２１ｃに回転自在に取付けられている。
【００１７】
３２は一端が前記ネジ杆１３の頂面に取付ネジによって着脱自在に固定された台座１３ｄの下方に軸支された第１の平行アームにして、他端が前記アクチュエータ３１の突出杆３１ｂの先端が軸支されている。３３は前記台座１３ｄの上方に一端が軸支された第２の平行アームにして、他端が前記取付基板２１ｃの裏面から垂下された延長片２１ｄの下方に軸支されている。
【００１８】
３４は一端が前記アクチュエータ３１が軸支された取付基板２１ｃの回転軸に軸支された第１の背凭れ補助アーム、３５は一端が前記第２の平行アーム３３の突出部に軸支され、他端が前記第２の背凭れ補助アームの他端に軸支された第２の背凭れ補助アーム、３６は一端が前記第１、第２の補助アームの軸支点に軸支され、他端が前記背凭れブラケット２２ａに軸支されたくの字状に形成された背凭れアーム、３７は一端が前記前垂れ基板２３ａに軸支された前垂れアーム、３８は一端が前記第１の背凭れアーム３４が固定された回転軸に固定され、他端が前記前垂れアーム３７の他端に軸支された前垂れ補助アームである。
【００１９】
次に、前記した如く構成した理美容用椅子の動作を説明する。
先ず、被施術者を椅子２に着座させるために、図４、図５に示すようにシャンプーボールＡに対して背凭れ２２が対向するように椅子２を回転させて、ボール１２ｂを溝１３ｂに嵌まり込ませる。この状態において椅子２はロックされるので、被施術者が座部２１に座る時に椅子２が回転するようなことがなく安全に着座することができる。
【００２０】
そして、被施術者が着座した後に、施術者が椅子２を図６、図７に示すようにパーマ剤の塗布やカラー剤の塗布等の作業位置に回転すると、ボール１２ｂは溝１３ｂから一旦離脱して溝１３ａに嵌まり込んで施術位置において停止する。従って、施術者は安定した状態で施術を行うことができる。
【００２１】
次に、施術が終了し施術者の洗髪を行うためには、椅子２を前記したとは反対側に回転することにより、椅子２は図５の状態となり背凭れ２２がシャンプーボールに対向した位置となる。この状態において、アクチュエータ３１のモータ３２ａに通電すると、突出杆３１ｂが徐々に突出するので、図８において第１の平行アーム３２は台座１３ｄとの軸支点を中心として反時計方向に回転される。
【００２２】
その結果、延長片２１ｄを上昇させるが、この延長片２１ｄに前記第１の平行アーム３２と平行に移動する第２の平行アーム３３が存在することから、延長片２１ｄに取付けられている座部２１は平行な状態でシャンプーボールＡ方向に上昇を開始し、着座している被施術者の頭部をシャンプーボールＡの首受け部Ａ１の方向に移動させる。この時、アクチュエータ３１には回転力が作用するが、該アクチュエータ３１は取付基板２１ｃに対して回転自在に取付けられているので、アクチュエータ３１の突出杆３１ｂは自由に突出が可能となる。
【００２３】
前記第１、第２の平行アーム３２，３３が平行に移動すると、該第２の平行アーム３３に一端が軸支されている第２の背凭れ補助アーム３４が変位するが、該第２の背凭れ補助アーム３４の他端は第１の背凭れ補助アーム３５に軸支されているので、該第２の背凭れ補助アーム３４は反時計方向に回動され、従って、背凭れアーム３６は図示において右方向に引かれるので、背凭れ２２は伏倒状態となり、さらに、前記第１の背凭れ補助アーム３４が固定された回転軸に同じく固定された前垂れ補助アーム３８が反時計方向に回転されるので、該前垂れ補助アーム３８に軸支された前垂れアーム３７を介して前垂れ２３も伏倒状態となる（図９参照）。
【００２４】
この図９の状態が基本的な洗髪位置であるが、子供や女子のように座高が低い場合には、被洗髪者の首部分がシャンプーボールＡの首受け部Ａ１に届かない状態となるので、さらに、モータ３１ａに通電すると、背凭れ２２および前垂れ２３の伏倒角度は図９の状態を保持しながら座部２１が斜め上方（シャンプーボールの方向）に移動する（図１０）。
【００２５】
なお、前記した図８から図９への移動は予め設定された移動量として記憶されており、図９から図１０への移動は施術者の操作によって調整されることが好ましいものである。
【００２６】
また、洗髪が終了した後は、アクチュエータ３１のモータ３１ａを前記した回転方向とは逆方向に通電すると、突出杆３１ｂが徐々に後退するので、前記した動作とは逆の動作によって椅子２は下降を開始し、最終的には図８の位置まで下降して停止する。
【００２７】
次に、前記した動作を行わせるための動作を示すフローチャートを図１１に示す。このフローチャートの動作を行わせるための回路としては、背凭れ２２の背面上方に取付けられたトグルスイッチ等のスイッチＳは、内蔵されたタイマーおよびメモリを有するコンピュータに接続されている。そして、コンピュータはスイッチＳを所定時間以上操作された場合は前記図８〜図９までのオート動作を行うようにモータ３１ａに通電し、また、前記所定時間より短い操作を行った場合には、該操作を行っている時間だけモータ３１ａに通電するように構成されている。
【００２８】
以下、図１１のフローチャートに基づいて動作を説明する。
スイッチＳを操作した結果が予め設定した所定時間より短いか長いかの判定を行い（ステップＳ１）、操作者がオート動作（図８から図９に自動的に移動させる）を行わせるために所定時間以上操作したのであればモータ３１ａに通電してオート動作が開始される（ステップＳ２）。
【００２９】
このオート動作中において、従来より理美容用椅子の側面等に設置されているスイッチ等の他のスイッチの操作が行われたか否かの判断を行い（ステップＳ３）、他のスイッチが操作された場合には、モータ３１ａへの通電が遮断され座部２１の上昇、背凭れ２２および前垂れ２３の伏倒は停止される（ステップＳ４）。
【００３０】
また、前記オート動作中において、前記モータ３１ａに通電を開始してから正常時においてオート動作が終了するまでの安全動作時間と、実際にモータ３１ａに通電されている動作している時間との比較を行い（ステップＳ５）、動作時間が長いと判断された場合には安全上、モータ３１ａへの通電を遮断して動作を終了する（ステップＳ４）。
【００３１】
以上の判断において正常に進行した場合には、座部２１のオート動作における上昇位置、背凭れ２２および前垂れ２３の伏倒位置に設置されたリミットスイッチ（図示せず）がオン状態となったか否かの判断を行い（ステップＳ６）、各リミットスイッチがオンしたと判断するとモータ３１ａへの通電を遮断して動作を終了する（ステップＳ４）。
【００３２】
一方、前記したステップＳ１において、スイッチＳを操作した時間が予め設定した時間よりも短いと判断した場合には、マニュアル動作であると判断し（ステップＳ７）、前記スイッチＳの操作がオフ状態となったか否かの判断を行い（ステップＳ８）、スイッチＳの操作がオフ状態となったと判断すると、その時点でモータ３１ａへの通電を遮断して動作を終了する（ステップＳ４）。
【００３３】
そして、前記座部２１のマニュアル動作における上昇位置に設置されたリミットスイッチ（図示せず）がオン状態となったか否かの判断を行い（ステップＳ９）、該リミットスイッチがオンしたと判断するとモータ３１ａへの通電を遮断して動作を終了する（ステップＳ４）。
【００３４】
【発明の効果】
本発明は前記したように、座部側に取付けられたアクチュエータと、理美容院の床面に設置される基台と、該基台に対して着脱自在に取付けられる台座と、該台座と前記アクチュエータとの間に介在され該アクチュエータの駆動に伴って座部の昇降、背凭れおよび前垂れの起伏を行わせるためのリンク機構とを具備したものであることにより、リンク機構とアクチュエータとの取付けを工場内において行えるので、理美容院での設置作業が簡単に行え、かつ、品質確保が図れると共に美観的にも優れたものである。
【００３５】
また、台座の裏面には雄ねじ杆が取付けられ、一方、前記基台の上面には雌ねじ管が取付けられ、前記雄ねじ杆を前記雌ねじ管に螺合することにより、座部と基台とは一体化され、かつ、螺合度合いを調整することにより、座部の高さを調整することが可能なように構成したので、椅子全体の高さ調整も座部側を基台に対して回転することで行え、従って、高さ調整作業が容易で、かつ、安定感のある椅子が得られ、さらに、椅子を被施術者の着座する位置（ロッドアウトやパーマ剤の塗布、カラー剤の塗布等のケミカル処理位置でもある）と洗髪位置との少なくとも２位置で固定されるので、必要に応じた作業空間の確保と洗髪を安定な状態で行えるものである。
【００３６】
また、アクチュエータは座部側の所望位置に取付けられたスイッチを所定時間以上操作すると予め設定した駆動量まで連続し、あるいは、再度前記スイッチが操作されるまで駆動し続け、また、前記スイッチは前記所定時間以内の操作であると、該操作されている間だけ駆動されるようになっているので、オート動作とマニュアル動作の選択が簡単であると共にオート動作の後における微調整もマニュアル動作によって正確な位置にセットすることが可能であり、また、前記スイッチを背凭れの上方に設けることにより、椅子の制御が行い易くなる等の効果を有するものである。
【図面の簡単な説明】
【図１】本発明に係る理美容用椅子を示し、椅子全体を低くした状態の側面図である。
【図２】同上の椅子全体を高くした状態の側面図である。
【図３】雄ねじ杆と雌ねじ管との関係を示す分解斜視図である。
【図４】椅子をシャンプーボールに対向させた状態の雄ねじ杆と雌ねじ管との関係を示す横断面図である。
【図５】椅子をシャンプーボールに対向させた状態の平面図である。
【図６】椅子をシャンプーボールに対して斜めに回転させた状態の基台部分の雄ねじ杆と雌ねじ管との関係を示す横断面図である。
【図７】椅子をシャンプーボールに対して斜めに回転させた状態の平面図である。
【図８】リンク機構を駆動していな状態の側面図である。
【図９】同上のリンク機構を駆動してオート動作させた状態の側面図である。
【図１０】同上の状態から微調整した状態の側面図である。
【図１１】オート動作とマニュアル動作を行わせるためのフローチャートである。
【符号の説明】
Ａ              シャンプーボール
Ｂ              理美容用椅子
１              基台
１１            台部
１２            雌ねじ管
１２ｂ          ボール
１２ｃ          スプリング
１３            雄ねじ杆
１３ａ，１３ｂ  溝
１３ｃ          切り欠き
１３ｄ          台座
２              椅子
２１            座部
２１ｃ          取付基板
２１ｄ          延長片
２２            背凭れ
２２ａ          背凭れブラケット
２３            前垂れ
３              リンク機構
３１            アクチュエータ
３１ａ          モータ
３１ｂ          突出杆
３２            第１の平行アーム
３３            第２の平行アーム
３４            第１の背凭れ補助アーム
３５            第２の背凭れ補助アーム
３６            背凭れアーム
３７            前垂れアーム
３８            前垂れ補助アーム
【図１】
0003857553.tif 000002
【図２】
0003857553.tif 000003
【図３】
0003857553.tif 000004
【図４】
0003857553.tif 000005
【図５】
0003857553.tif 000006
【図６】
0003857553.tif 000007
【図７】
0003857553.tif 000008
【図８】
0003857553.tif 000009
【図９】
0003857553.tif 000010
【図１０】
0003857553.tif 000011
【図１１】
0003857553.tif 000012